(57)【要約】【課題】会員登録の手間を省き、非会員であっても鍵データの配信を受けられる。【解決手段】鍵データ管理サーバ３は、管理者端末２からの登録操作により、制御権限を付与する受取人のＩＤと制御対象物を特定する情報と制御権限の内容とを紐付けた鍵データを保存する。ＩＤプロバイダ４は、利用者端末２からの鍵データの受取り操作に伴って鍵データ管理サーバ３から受取人のＩＤの要求があると、その受取人のＩＤの公開の是非を確認するための許可確認画面を表示する。鍵データ管理サーバ３は、利用者端末２からの操作により許可確認画面上でＩＤの公開が許可され、この許可されたＩＤがＩＤプロバイダ４から通知されると、そのＩＤと一致する鍵データを利用者端末２に配信する。【選択図】図１
2015007309.tif 000002
【特許請求の範囲】
【請求項１】
少なくとも管理者が管理する制御対象物と該制御対象物の制御権限を付与する受取人のＩＤとを紐付けた鍵データを保存する鍵データ管理サーバと、
前記受取人が所有する利用者端末からのログイン操作時に、前記受取人のＩＤの公開の可否を確認するＩＤプロバイダとを備えており、
前記鍵データ管理サーバは、前記ＩＤプロバイダから公開が許可された前記受取人のＩＤが通知されたときに、前記ＩＤと一致する鍵データを前記利用者端末に配信することを特徴とする鍵配信システム。
【請求項２】
管理者が管理する制御対象物の制御権限が付与された受取人の利用者端末に前記制御対象物を制御するための鍵データを配信する鍵配信システムにおいて、
少なくとも前記制御対象物と該制御対象物の制御権限を付与する受取人のＩＤとを紐付けた鍵データを保存し、前記受取人が所有する利用者端末からのログイン操作によって前記ＩＤの公開が許可されたときに、該ＩＤと一致する鍵データを前記利用者端末に配信する鍵データ管理サーバを備えたことを特徴とする鍵配信システム。
【請求項３】
管理者が管理する制御対象物の制御権限が付与された受取人の利用者端末に前記制御対象物を制御するための鍵データを配信する鍵配信システムにおいて、
前記利用者端末からのログイン操作時に、該利用者端末を所有する受取人のＩＤの公開の可否を確認するＩＤプロバイダを備えたことを特徴とする鍵配信システム。
【請求項４】
管理者が管理する制御対象物の制御権限が付与された受取人の利用者端末に前記制御対象物を制御するための鍵データを配信する鍵配信方法において、
前記制御対象物と該制御対象物の制御権限を付与する受取人のＩＤとを紐付けた鍵データを保存するステップと、
前記受取人が所有する利用者端末からのログイン操作時に、前記受取人のＩＤの公開の可否を確認するステップと、
前記ＩＤの公開が許可されたときに、該ＩＤと一致する鍵データを前記利用者端末に配信するステップとを含むことを特徴とする鍵配信方法。
【請求項５】
管理者が管理する制御対象物の制御権限が付与された受取人の利用者端末に前記制御対象物を制御するための鍵データを配信する鍵配信方法において、
前記制御対象物と該制御対象物の制御権限を付与する受取人のＩＤとを紐付けた鍵データを保存するステップと、
前記受取人の利用者端末からのログイン操作によって前記ＩＤの公開が許可されたときに、該ＩＤと一致する鍵データを前記利用者端末に配信するステップとを含むことを特徴とする鍵配信方法。
【請求項６】
管理者が管理する制御対象物の制御権限が付与された受取人の利用者端末に前記制御対象物を制御するための鍵データを配信する鍵配信方法において、
前記利用者端末からの最初のログイン操作時に、該利用者端末を所有する受取人のＩＤの公開の可否を確認するステップを含むことを特徴とする鍵配信方法。
【発明の詳細な説明】
【技術分野】
【０００１】
本発明は、例えば携帯電話、スマートフォンなどのフェリカ（登録商標）機能を有する利用者端末に対し、特定の扉の錠やゲート、エレベータなどの制御対象物を制御（錠やゲートの解錠・施錠、エレベータの呼び出しや停止階指定操作など）するための鍵データを配信する鍵配信システム及び鍵配信方法に関するものである。
【背景技術】
【０００２】
近年、特定の扉の錠やゲートなどの開閉制御を行うために必要な鍵データを予め携帯端末に登録しておき、携帯端末を鍵として利用する鍵配信システムの提案がなされている。この種の携帯端末を鍵として利用する鍵配信システムとしては、例えば下記特許文献１に開示されるシステムが知られている。
【０００３】
特許文献１に開示される鍵配信システムは、鍵管理サーバー、利用者携帯端末、施開錠制御手段間に通信網を介在させて構築され、利用者が鍵管理サーバーから付与された発行権限に基づき取得した鍵データを利用者携帯端末を用いて送信している。そして、利用者携帯端末から送信される鍵データにより動作する施開錠制御手段により利用対象物の扉に備えた電気錠の施開錠を行っている。また、鍵管理サーバーは、電気錠の利用者の登録、削除、登録した利用者への認証情報を含む鍵データの発行権限及び鍵データの付与、利用者が利用する鍵データの管理、電気錠の施開錠状態の管理を行っている。
【先行技術文献】
【特許文献】
【０００４】
【特許文献１】特開２００５−１３９６４４号公報
【発明の概要】
【発明が解決しようとする課題】
【０００５】
しかしながら、上述した特許文献１を含む従来の鍵配信システムでは、システムを利用するにあたって、鍵管理サーバーを管理する管理者と、鍵管理サーバーからの鍵データの配信を利用者携帯端末で受ける受取人の双方が予め鍵データ配信サービスの会員登録を行う必要があった。このため、鍵データの配信を受ける受取人にとっては、手間のかかる会員登録が必要不可欠であった。しかも、鍵データ配信サービスの非会員では、制御対象物を制御するための鍵データの配信を受けることができず、例えば鍵データ配信サービス会員からの依頼によって一時的に制御対象物を制御する場合であっても、手間のかかる会員登録を行わなければならなかった。
【０００６】
そこで、本発明は上記問題点に鑑みてなされたものであり、会員登録の手間を省き、非会員であっても鍵データの配信を受けることができる鍵配信システム及び鍵配信方法を提供することを目的とするものである。
【課題を解決するための手段】
【０００７】
上記した目的を達成するために、請求項１に記載された鍵配信システムは、少なくとも管理者が管理する制御対象物と該制御対象物の制御権限を付与する受取人のＩＤとを紐付けた鍵データを保存する鍵データ管理サーバと、
前記受取人が所有する利用者端末からのログイン操作時に、前記受取人のＩＤの公開の可否を確認するＩＤプロバイダとを備えており、
前記鍵データ管理サーバは、前記ＩＤプロバイダから公開が許可された前記受取人のＩＤが通知されたときに、前記ＩＤと一致する鍵データを前記利用者端末に配信することを特徴とする。
【０００８】
請求項２に記載された鍵配信システムは、管理者が管理する制御対象物の制御権限が付与された受取人の利用者端末に前記制御対象物を制御するための鍵データを配信する鍵配信システムにおいて、
少なくとも前記制御対象物と該制御対象物の制御権限を付与する受取人のＩＤとを紐付けた鍵データを保存し、前記受取人が所有する利用者端末からのログイン操作によって前記ＩＤの公開が許可されたときに、該ＩＤと一致する鍵データを前記利用者端末に配信する鍵データ管理サーバを備えたことを特徴とする。
【０００９】
請求項３に記載された鍵配信システムは、管理者が管理する制御対象物の制御権限が付与された受取人の利用者端末に前記制御対象物を制御するための鍵データを配信する鍵配信システムにおいて、
前記利用者端末からのログイン操作時に、該利用者端末を所有する受取人のＩＤの公開の可否を確認するＩＤプロバイダを備えたことを特徴とする。
【００１０】
請求項４に記載された鍵配信方法は、管理者が管理する制御対象物の制御権限が付与された受取人の利用者端末に前記制御対象物を制御するための鍵データを配信する鍵配信方法において、
前記制御対象物と該制御対象物の制御権限を付与する受取人のＩＤとを紐付けた鍵データを保存するステップと、
前記受取人が所有する利用者端末からのログイン操作時に、前記受取人のＩＤの公開の可否を確認するステップと、
前記ＩＤの公開が許可されたときに、該ＩＤと一致する鍵データを前記利用者端末に配信するステップとを含むことを特徴とする。
【００１１】
請求項５に記載された鍵配信方法は、管理者が管理する制御対象物の制御権限が付与された受取人の利用者端末に前記制御対象物を制御するための鍵データを配信する鍵配信方法において、
前記制御対象物と該制御対象物の制御権限を付与する受取人のＩＤとを紐付けた鍵データを保存するステップと、
前記受取人の利用者端末からのログイン操作によって前記ＩＤの公開が許可されたときに、該ＩＤと一致する鍵データを前記利用者端末に配信するステップとを含むことを特徴とする。
【００１２】
請求項６に記載された鍵配信方法は、管理者が管理する制御対象物の制御権限が付与された受取人の利用者端末に前記制御対象物を制御するための鍵データを配信する鍵配信方法において、
前記利用者端末からの最初のログイン操作時に、該利用者端末を所有する受取人のＩＤの公開の可否を確認するステップを含むことを特徴とする。
【発明の効果】
【００１３】
本願請求項１及び４に係る発明によれば、鍵データ配信サービスの会員以外の受取人であっても、パスワードなどを事前に取り交わして会員登録する必要がなく、制御対象物の制御に必要な鍵データを配信することができる。
【００１４】
本願請求項２及び５に係る発明によれば、管理者が管理する制御対象物の制御権限が付与された受取人の利用者端末に制御対象物を制御するための鍵データを配信するにあたって、制御対象物と制御対象物の制御権限を付与する受取人のＩＤとを紐付けた鍵データを予め保存して管理することができ、受取人の利用者端末からのログイン操作によってＩＤの公開が許可されたときに限って、ＩＤと一致する鍵データを利用者端末に配信することができる。
【００１５】
本願請求項３及び６に係る発明によれば、管理者が管理する制御対象物の制御権限が付与された受取人の利用者端末に制御対象物を制御するための鍵データを配信するにあたって、受取人の利用者端末からの最初のログイン操作時に、その利用者端末を所有する受取人のＩＤの公開の可否を確認するので、利用者端末のログイン操作によりＩＤの公開が許可されたときに限って、ＩＤと一致する鍵データを利用者端末に配信することができる。
【図面の簡単な説明】
【００１６】
【図１】本発明に係る鍵配信システムの概略構成を示すブロック図である。
【図２】本発明に係る鍵配信システムにおいてＩＤの公開・非公開を確認するための許可確認画面の一例を示す図である。
【図３】本発明に係る鍵配信システムにおける鍵データの登録から配信までの一連の動作を示すフローチャートである。
【発明を実施するための形態】
【００１７】
以下、本発明を実施するための形態について、添付した図面を参照しながら詳細に説明する。なお、この実施の形態によりこの発明が限定されるものではなく、この形態に基づいて当業者などによりなされる実施可能な他の形態、実施例及び運用技術などはすべて本発明の範疇に含まれる。
【００１８】
本発明に係る鍵配信システム１は、図１に示すように、管理者端末２、鍵データ管理サーバ３、ＩＤプロバイダ４、利用者端末５を備えて構築される。
【００１９】
管理者端末２は、特定の扉の錠やゲート、エレベータなどを制御対象物６とし、錠やゲートの解錠・施錠、エレベータの呼び出しや停止階指定操作などを制御する制御権限を管理する管理者によって操作される。管理者端末２は、制御対象物６の制御権限を付与する受取人のＩＤ（受取人を特定する識別情報：例えばメールアドレス、番号や英数字など）を指定して鍵データを登録する登録操作を、受取人のＩＤ毎に行っている。
【００２０】
尚、本例では、特定の扉の錠やゲート、エレベータなどを制御対象物６とし、錠やゲートの解錠・施錠、エレベータの呼び出しや停止階指定操作などの制御を鍵データを用いて行うものとして説明しているが、制御権限が付与された受取人の利用者端末５から取得する鍵データにより制御される制御対象物６であれば特に限定されるものではない。
【００２１】
鍵データ管理サーバ３は、制御対象物６の制御権限が付与された受取人の利用者端末５に鍵データを配信する鍵データ配信サービスを提供するサービス事業者によって管理される。鍵データ管理サーバ３は、管理者端末２の登録操作により、受取人のＩＤと制御対象物６を特定する情報と制御権限の内容とをそれぞれ紐付けた鍵データを保存している。具体的に、鍵データ管理サーバ３は、受取人のＩＤ：メールアドレス「○○＠××．△△」、制御対象物６を特定する情報：「施設Ａの正面玄関の電気錠」、制御権限の内容：「許可」であれば、これらを紐付けた情報を鍵データとして保存する。尚、制御権限の内容には、時限情報として制御対象物６の制御が可能な有効期間も含まれる。
【００２２】
また、鍵データ管理サーバ３は、受取人の利用者端末５から鍵データの受け取り操作があったときに、その受取人のＩＤをＩＤプロバイダ４に要求している。そして、鍵データ管理サーバ３は、受取人のＩＤの要求に対してＩＤプロバイダ４から受取人のＩＤの通知を受けたときに、その受取人のＩＤと一致する鍵データを受取人の利用者端末５に配信している。
【００２３】
ＩＤプロバイダ４は、鍵データ配信サービスを提供するサービス事業者と業務提携される提携事業者によって管理される。ＩＤプロバイダ４は、鍵データ管理サーバ３から受取人のＩＤの要求があったときに、図２に示す許可確認画面１１を受取人の利用者端末５に表示している。
【００２４】
図２の許可確認画面１１では、受取人のＩＤを要求しているサービス名（「鍵データ配信サービス」）を表示し、受取人が所有する利用者端末５にＩＤの公開・非公開を確認している。尚、ＩＤプロバイダ４へのログインが完了していない場合は、先にＩＤプロバイダ４へのログイン画面が表示される。
【００２５】
そして、ＩＤプロバイダ４は、図２の許可確認画面１１において、受取人の利用者端末５からＩＤの公開の許可が指示されたときに、その受取人のＩＤを鍵データ管理サーバ３に通知している。
【００２６】
利用者端末５は、例えば携帯電話、スマートフォンなどの通信機能を有する端末で構成される。利用者端末５は、鍵データを用いて制御対象物６を制御するときに、鍵データ管理サーバ３に接続し、対象となる鍵データのダウンロードを要求している。
【００２７】
また、利用者端末５は、図２の許可確認画面１１において、ＩＤの公開を許可する場合、許可確認画面１１の「許可する」を選択し、ＩＤの公開の許可をＩＤプロバイダ４に指示している。尚、受取人は、ＩＤの公開を要求しているサービスが信用に足り得ないと思われる場合、図２の許可確認画面１１の「拒否する」を選択することにより、ＩＤプロバイダ４へのＩＤの通知を防止することができる。
【００２８】
さらに、利用者端末５は、鍵データ管理サーバ３から鍵データ配信サービスにより配信される鍵データを保存し、この保存された鍵データによって制御対象物６を制御することができる。具体的に、制御対象物６が例えば「施設Ａの正面玄関」の場合には、施設Ａの正面玄関に付属して設置されるリーダに利用者端末５をかざして非接触通信を行い、リーダが利用者端末５に保存された鍵データを正常認証すると、その鍵データに含まれる時限情報の有効期間だけ施設Ａの正面玄関を自由に開閉制御することができる。
【００２９】
次に、上記構成による鍵配信システムを用いて鍵データを配信する場合の動作について図３のフローチャートを参照しながら説明する。
【００３０】
まず、鍵データ管理サーバ３に鍵データを登録する場合の動作について説明する。管理者は、管理者端末２からの登録操作（ＳＴ１）により、制御対象物６の制御権限を付与する受取人のＩＤを指定し、鍵データによって制御される制御対象物６の制御権限の内容を設定する。この登録操作は、受取人のＩＤ毎に行われる。
【００３１】
鍵データ管理サーバ３は、管理者端末２から登録操作が行われると、受取人のＩＤと、制御対象物６を特定する情報と、制御対象物６の制御権限の内容とを紐付けた鍵データを保存する（ＳＴ２）。この際、受取人のＩＤが事前に登録されている必要はない。
【００３２】
次に、受取人の利用者端末２に鍵データを配信する場合の動作について説明する。まず、受取人は、自身が所有する利用者端末２の操作により、制御対象物６を制御するために必要な鍵データの受け取り操作を行う（ＳＴ１１）。具体的に、受取人は、自身が所有する利用者端末２を鍵データ管理サーバ３と通信接続し、必要とする鍵データのダウンロードを要求する。
【００３３】
鍵データ管理サーバ３は、受取人の利用者端末２から鍵データのダウンロードの要求があると、ＩＤプロバイダ４に受取人のＩＤを要求する（ＳＴ１２）。
【００３４】
このＩＤプロバイダ４への受取人のＩＤの要求があった際のログイン方式としては、パスワード（鍵データ配信サービスの会員の場合）と、外部のＩＤ（鍵データ配信サービスの非会員の場合）とがある。
【００３５】
ここで、ＩＤプロバイダ４は、受取人が鍵データ配信サービスの非会員の場合には、受取人の利用者端末２からパスワードによる本人確認を行うことができない。このため、先にＩＤプロバイダ４へのログイン画面（不図示）が受取人の利用者端末２に表示され、外部のＩＤが選択されると、ＩＤプロバイダの画面が表示される。そして、ＩＤプロバイダ４は、受取人の利用者端末２がＩＤプロバイダ４にログインすると、ＩＤの要求元を表示し、受取人の利用者端末２にＩＤの公開・非公開を確認する（ＳＴ１３）。
【００３６】
これに対し、ＩＤプロバイダ４は、受取人が鍵データ配信サービスの会員の場合には、受取人の利用者端末２から鍵データのダウンロードの要求に伴ってパスワード入力により受取人の利用者端末２がＩＤプロバイダ４にログインし、鍵データ管理サーバ３から受取人のＩＤの要求があると、受取人の利用者端末２にＩＤの公開・非公開を確認する（ＳＴ１３）。
【００３７】
ここで、図２はＩＤプロバイダ４からＩＤの公開・非公開の確認があったときの許可確認画面１１の表示例を示している。図２の許可確認画面１１では、鍵データ管理サーバ３からＩＤプロバイダ４に受取人のＩＤの要求があると、そのＩＤを要求しているサービス名（鍵データ配信サービス）とＩＤの公開・非公開の選択キー（許可する・拒否する）を表示し、ＩＤ（メールアドレス）の公開・非公開を受取人の利用者端末２に確認する。
【００３８】
受取人は、図２の許可確認画面１１の内容を確認し、自身のＩＤを公開して良いと判断すると、利用者端末２の操作により許可確認画面１１の選択キー「許可する」を選択し、ＩＤの公開を許可する旨をＩＤプロバイダ４に指示する（ＳＴ１４）。これに対し、受取人は、ＩＤを要求しているサービスが信用に足り得ないと思えば、許可確認画面１１の選択キー「拒否する」を選択する。これにより、受取人のＩＤは非公開となり、ＩＤプロバイダ４への不用意なＩＤの通知を防止することができる。
【００３９】
続いて、ＩＤプロバイダ４は、受取人の利用者端末２からＩＤの公開を許可する旨が指示されると、鍵データ管理サーバ３に対し、公開が許可された受取人のＩＤを通知する（ＳＴ１５）。
【００４０】
鍵データ管理サーバ３は、ＩＤプロバイダ４から公開が許可された受取人のＩＤが通知されると、この通知されたＩＤと予め保存された鍵データとを照合し、通知されたＩＤと一致する鍵データを受取人の利用者端末２に配信する（ＳＴ１６）。
【００４１】
利用者端末２は、鍵データ管理サーバ３から鍵データが配信されると、その鍵データを保存する（ＳＴ１７）。尚、利用者端末２にリーダーライターを接続すれば、鍵データ管理サーバ３から配信された鍵データをＩＣカードなどの記憶媒体に書き込んで保存することができる。その後、受取人は、制御対象物６に付属して設置されるリーダに鍵データを読み取らせ、その鍵データをリーダが正常認証すれば、制御対象物６を制御することができる。例えば鍵データ管理サーバ３から配信された鍵データが受取人のＩＤ：メールアドレス「○○＠××．△△」、制御対象物６を特定する情報：「施設Ａの正面玄関の電気錠」、制御権限の内容：「許可」であれば、施設Ａの正面玄関に付属して設置されるリーダに対し、利用者端末２に保存された鍵データを取得させ、リーダが鍵データを正常認証すると、鍵データ（制御権限の内容）に含まれる時限情報の有効期間だけ施設Ａの正面玄関を自由に開閉制御することができる。
【００４２】
尚、図３は、受取人が初めて鍵データ管理サーバ３に鍵データの配信を要求する場合の動作フローチャートを示しており、同一の受取人による２回目以降の鍵データ管理サーバ３への鍵データの配信要求時には、受取人のＩＤ公開が許可済として、ＩＤの公開・非公開の確認に関する処理を省略することができる。
【００４３】
このように、本例の鍵データ配信システム１では、制御対象物６の制御権限を付与する受取人のＩＤと、制御対象物６を特定する情報と、制御権限の内容とを紐付けた鍵データを管理者が管理する管理者端末２からの登録操作により鍵データ管理サーバ３に登録しておく。そして、ＩＤプロバイダ４は、受取人の利用者端末２からの鍵データの受け取り操作に伴って鍵データ管理サーバ３から受取人のＩＤの要求があると、この受取人のＩＤの公開の可否を確認するための許可確認画面１１（図２参照）を表示している。そして、鍵データ管理サーバ３は、利用者端末２からの操作により許可確認画面１１上でＩＤの公開が許可され、この許可されたＩＤがＩＤプロバイダ４から通知されると、そのＩＤと一致する鍵データを利用者端末２に配信している。
【００４４】
これにより、管理者が管理する制御対象物６の制御権限が付与された受取人の利用者端末２に制御対象物６を制御するための鍵データを配信するにあたって、制御対象物６と制御対象物６の制御権限を付与する受取人のＩＤとを紐付けた鍵データを予め鍵データ管理サーバ３に保存して管理することができ、受取人の利用者端末２からのログイン操作によってＩＤの公開が許可されたときに限って、ＩＤと一致する鍵データを利用者端末２に配信することができる。
【００４５】
また、ＩＤプロバイダ４は、受取人の利用者端末２から鍵データ管理サーバ３への最初のログイン操作時に、その利用者端末２を所有する受取人のＩＤの公開の可否を確認するので、利用者端末２のログイン操作によりＩＤの公開が許可されたときに限って、ＩＤと一致する鍵データを鍵データ管理サーバ３から利用者端末２に配信することができる。
【００４６】
そして、本例の鍵データ配信システム１によれば、鍵データ配信サービスの会員以外の受取人であっても、パスワードなどを事前に取り交わして会員登録する必要がなく、制御対象物６の制御に必要な鍵データを配信することができる。
【符号の説明】
【００４７】
１  鍵配信システム
２  管理者端末
３  鍵データ管理サーバ
４  ＩＤプロバイダ
５  利用者端末
６  制御対象物
１１  許可確認画面
【図１】
2015007309.tif 000003
【図２】
2015007309.tif 000004
【図３】
2015007309.tif 000005